(57)【要約】【課題】洋裁用型紙は，製図に基づき作成するか，実物大型紙を利用することが多い．しかし，製図から型紙を作成するには専門的知識を要する．また実物大型紙は大型で保管が困難な上，使用時には，大型の用紙を準備し，必要とする型紙のみを選んで写し取るといった手間がかかる．また，実物大型紙は大型であるため，保管が困難である．【解決手段】拡大コピーにより１回ないし数回拡大した際に実物大となるように型紙を縮小版とする．通常のコピー機で使用されるのはＡ３程度の用紙である事を考慮し，糊代を設けて用紙を数枚貼り合わせて使用するようにする．正確に拡大される様スケールを設ける．裏面にはコピー機に合わせる基準点を記載する．また多様な体型に合わせて，複数のサイズの型紙を合わせて記載する．【選択図】図１
2004156190.tif 000002
【特許請求の範囲】
【請求項１】
拡大コピーで実物大に拡大して使用することを特徴とする縮小版洋裁用型紙．
【請求項２】
通常よく利用されるＡ３などのサイズの用紙を複数貼り合わせて使用することを想定して，あらかじめ分割されていることを特徴とする洋裁用型紙．
【請求項３】
拡大する際にコピー機に合わせる基準点や拡大倍率・拡大回数を裏面に印刷した縮小版洋裁用型紙．
【請求項４】
拡大の精度を確認するための寸法スケールを複数印刷した縮小版洋裁用型紙．
【請求項５】
縫い代・合印の情報が印刷された縮小版洋裁用型紙．
【請求項６】
同一紙面上に複数のサイズの型紙が印刷された縮小版洋裁用型紙．
【発明の詳細な説明】
【０００１】
【発明の属する技術分野】
この発明は、洋裁用型紙の形状に関する．
【０００２】
【従来の技術】
従来の洋服の製作方法には，立体裁断（人体模型に布を当てて形を整えながら直接布を裁つ方法）と平面裁断（平面の紙の上に製図をして型紙を作り，この型紙に基づいて布を裁つ方法）がある．通常，家庭でのホームソーイングには平面裁断が用いられる．平面裁断には▲１▼利用者の体型に応じてあらかじめ原型を製作し，これを基に型紙を製図する方法と，▲２▼簡単な囲み製図により型紙を製作する方法，さらに▲３▼標準体型にあわせて実物大で作製された実物大型紙（Ｓサイズ，Ｍサイズ，Ｌサイズなどのおおまかなサイズごとに作製されることが多い）を使用する方法とがある．製図により作製した型紙は，利用者の体型に良くフィットするが，その作製には専門的な知識が必要で，非常な労力を要する．このため近年では，実物大型紙が使用されることが多い．しかし多くの実物大型紙では，限られた紙面に多くの型紙を記載するため，異なるサイズや袖・襟・身ごろなどの異なるパーツ，また全く別のデザインの型紙など，複数の型紙が実線・点線・破線さらには色分けされた各種の線で複雑に同一紙面上に重ねて印刷されていることが多い．このため，実物大型紙を実際に使用する際には，大型で薄手の用紙を別に用意して必要とする型紙のみを写し取る手間がかかる．直接切りとって使用できるよう型紙の各パーツを重ねずに配置した実物大型紙も発売されているが，高価である．さらに実物大型紙では，布地の裁断の際，改めて縫い代，合印などの印付けを行って使用しなくてはならないので手間がかかる．また，この様な実物大型紙は，当然の事ながら大型であるため保管が困難で，書籍などにこれを綴じ込む場合には，用紙を折りたたんで綴じ込むことが必要になる．このため，型紙を縮小し，使用時に拡大して用いるとする方法が開発されているが，このような拡大に使用する公知の道具の多くは精度に乏しく，取り扱いも困難で，高価であることもあり，実用にこたえるものではない．これらの欠点を克服するため，これまでのところオーストリア国際特許１７３，７３９号や公表特許公報５５−５００６５５，公開特許公報  昭６３−２８２３０３２の発明が報告されているが，製図を行うのと変わらぬ労力がかかる．
【０００３】
【発明が解決しようとする課題】
以上の従来技術によれば，原型から製図により型紙を作成するには専門的な知識が必要で非常な労力がかかる．また，一見非常に簡便に使用できるように思われる実物大型紙も，大型の用紙を別に用意し，必要とする型紙のみを写し取るといった操作が必要で，意外に労力を要する．さらに裁断時にも，縫い代などの印付けの手間がかかる．ホームソーイングで実物大型紙を利用する際，利用者は，体型に完璧にフィットした洋服を作製することよりも，簡便に型紙が利用でき，短時間で洋服が製作できることを期待しているのであるが，現在の実物大型紙はその要求を十分満たしているとは言えない．また限られた紙面に型紙を記載する必要から，多くのサイズやデザインの型紙を掲載するのは困難となる．また実物大型紙は大型であるため，保管に困難である．このため型紙を小型化するために先の発明の方法（オーストリア国際特許１７３，７３９号，公表特許公報  昭５５−５００６５５，公開特許公報  昭６３−２８２３０３２）が考案されているが，これらはホームソーイングでの使用に耐え得る簡便性を備えているとは言い難い．
そこで、この発明は、ホームソーイングにおいて簡便かつ正確に型紙作りができるようにすると同時に，保管に便利で，書籍にも容易に綴じ込むことが出来る小型の洋裁用型紙を提供することを課題とする．さらに布地の裁断を容易にするため縫い代・合印などの情報を全て含んだ型紙を提供することを課題とする．また，限られた紙面に多彩なサイズを記載した型紙を提供することを課題とする．
【０００４】
【課題を解決するための手段】
以上の課題を解決するために，請求項１の発明は，拡大コピーにより１回ないし数回拡大し実物大として使用することを特徴とする縮小版洋裁用型紙である．また，請求項２の発明は，通常よく使用されるＡ３などの用紙を複数貼り合わせて使用することを想定して，あらかじめ分割されていることを特徴とする洋裁用型紙である．請求項３の発明はコピー機により簡便に拡大が行えるよう，裏面に，コピー機に合わせる際の基準点や拡大倍率，拡大回数を印刷した縮小版洋裁用型紙である．請求項４の発明は拡大の精度が確認できる様，寸法スケールを印刷した縮小版洋裁用型紙である．請求項５の発明は布地の裁断が容易な様に，縫い代・合印などの情報を印刷した縮小版洋裁用型紙である．請求項６の発明は様々な体型の利用者に適合するように多彩なサイズのラインが印刷された縮小版洋裁用型紙である．
【０００５】
【発明の実施の形態】
この発明の一実施形態を、図１に示す．
図２は従来の原型を基にした婦人用ワンピース前身ごろの型紙作製用の製図である．この製図から型紙を製作するためには，事前に原型を作成しておく必要がある．
図３は従来の実物大型紙の１例で，婦人用ワンピースの前身ごろを例として挙げた．実物大であるから，実際には１１０×３０ｃｍ程度の大きさとなる．実物大型紙では様々な体型の利用者の要求に応えるため，図の様にＳサイズからＭサイズ，Ｌサイズなど，いくつかのサイズの型紙が重ねて記載されていることが多い．また後身ごろや袖などのパーツ，場合によっては異なるデザインの洋服の型紙などが，実線・破線・点線やその他の色線などを用いて複雑に同一紙面上に重ねて印刷してあることも多い．このため実物大型紙を実際に使用する時には，それぞれの型紙を別紙に写し取らねばならず，例に挙げた婦人用ワンピース前身ごろの場合，１１０×３０ｃｍ程度の用紙を用意する必要がある．
ここで一例としてあげた婦人用ワンピースの前身ごろの型紙は，本発明による縮小版型紙では図１のようになる．▲１▼この婦人用ワンピース前身ごろの型紙は，Ａ３用紙を使用すると想定すると，３つに分割して作製すればよいことになる．▲２▼もちろん３つに分割したのみでも型紙は十分小型になるが，Ａ３用紙は７０％に縮小すればＡ４版に，６１％に縮小すればＢ５版になり，書籍などに綴じ込むにも容易なサイズの縮小版型紙となる．▲３▼使用の際にはそれぞれ１４１％または１６３％に拡大し，必要とする型紙を切り抜いて糊代で張り合わせれば良い（請求項１，２）．もちろん任意の倍率での拡大や，複数回拡大コピーを行うことを想定すれば，より小型の縮小版型紙を用いることもできる．たとえば２５％まで縮小すれば，図１に示した程度の大きさまで縮小可能となる．図１の型紙は，実際と同等の大きさであり，これを４００％に拡大すれば実物大の型紙となる．▲４▼実物大型紙の様に別紙に写し取る作業は必要なく，コピーした用紙を切り取り，張り合わせるだけであるから，複雑に入り組んだ線でも用意に判別して切り抜くことができる．そこで図１に示した様に，３枚分の型紙を重ねて記載しても使用は容易である．さらに多彩なサイズ（ＳＳ，Ｓ，Ｍ，Ｌ，ＬＬなど），部位（後身ごろ，そでなど），デザインなど，より多くの型紙を同一紙面上に記載することも可能である．▲５▼実際に使用する際には，コピー機に合わせる基準点や拡大倍率，拡大回数が，裏面に記載してあるので，容易に希望の型紙を拡大コピーできる（請求項３）．図１の型紙の場合，左上合わせのコピー機では左上合わせ用基準点を，また中央合わせのコピー機では中央合わせ用基準点をそれぞれコピー機に合わせて４００％（または２００％で２回）に拡大したコピーを３枚とる．次にそれぞれから自分の体型に応じたサイズの前身ごろ１，２，３の型紙を切りぬく．型紙を１，２，３の順に矢印の向きに配置し，糊代（１）で張り合わせる．▲６▼なお，正確に拡大されたことを確認するためのスケール（２）が余白に記載されているので，コピー機で拡大したあと，スケールが正しく拡大されていることを確認し，誤差がある場合は微調整を行う．つまり，予定の寸法／実際の寸法倍，再度拡大を行えばサイズは正確なものとなる．例えば１０ｃｍのスケールが９．５ｃｍに拡大されていた場合は，１０／９．５倍，すなわち１０５％の拡大を再度行い正確なサイズの型紙を得る．拡大の際，コピー機により拡大の歪みが生じる場合もあるのでサイズ確認用スケールは複数設けてある（請求項４）．▲７▼また布地の裁断の際に便利な様に縫い代（３）・布目の情報も全て記載してある（請求項５）．▲８▼縮小版型紙では様々なサイズの型紙を重ねて記載することが出来る（請求項６）．
【０００６】
「実施形態の効果」
この実施形態によれば，利用者は簡便に体型に適した正確な型紙を作成することが出来る上に，この型紙には縫い代などの情報もあらかじめ記載されているので，布地の裁断が容易になる．またこの型紙は非常に小型化できるため，保管に便利である．
【０００７】
「他の実施形態」
図１の実施形態では，用紙を複数張り合わせる際の糊代は型紙に合わせて設けられていたが，他の実施形態では，糊代は用紙の端に設定しても良い．この場合は，拡大した用紙を糊代部分で貼り合わせてから，型紙を切り抜く．また裏面にはコピーを行う際の基準点を中央合わせ基準点など数点記載するとしたが，最終的に使用する用紙のサイズに合わせて裏面に四角く枠を記載しておいても良い．
【０００８】
【発明の効果】
以上説明したように，この発明によれば，次のような効果を奏する．請求項１，２，３に記載されている発明により，利用者はこれを拡大コピーにかけて型紙の各パーツを切りぬき，糊代部分で張り合わせるだけで，容易に型紙の作製ができる．従来の様に型紙を写し取るための大型の用紙を準備する必要もなくなる．また型紙を小型化することができるので，書籍に型紙を綴じ込む際に型紙を折りたたむ必要はなく，十分縮小すれば，ごく限られたスペースにも型紙を記載することができるようになる．型紙を別紙に写し取る場合と異なり，識別が容易であるため多数の型紙を同一紙面に記載することができるようになり，この点からも型紙の保管が容易になる．請求項４に記載されている発明は，正確な拡大が行えた事を確認するのに有用で，拡大の誤差を補正することに役立つ．請求項５に記載されている発明は，布地の裁断にかかる労力を軽減する．請求項６に記載されている発明は，様々な体型の利用者の要望に応え，多様なサイズの型紙を提供することを可能にする．
【０００７】
【図面の簡単な説明】
【図１】この発明の一実施形態を示す平面図である．実物と同等の大きさである．
【図２】従来技術を示す平面図である．原型を基に作成する型紙の製図である．
【図３】従来技術を示す平面図である．従来の実物大型紙である．これは実際には図の１０倍の大きさとなる．
【符号の説明】
１  糊代
２  スケール
３  縫い代
【図１】
2004156190.tif 000003
【図２】
2004156190.tif 000004
【図３】
2004156190.tif 000005